(57)【要約】【課題】自立性の乏しい奥行の少ない薄型の陳列箱を、店頭で倒れないようにするために、容易にスタンド機能を付与して自立性を担保できるように改良された商品陳列箱を提供すること。【解決手段】一枚のブランクシート１が折り曲げられて組み立てられた奥行の少ない紙製の薄型商品陳列箱１０であって、蓋板７は、その後縁を組み立て状態と逆方向に折り曲げ可能であり、蓋板７の前縁とフラップ板８との連結部も、組み立て状態と逆方向に折り曲げ可能であり、フラップ板８には、左右両辺の任意の位置（一例として、基端部である連結部）を起点として、左右両端から、それぞれ、所定長さのミシン目８ａが入れられていて、フラップ板８の左右両側部分８Ａは、ミシン目８ａによって切り離すことにより上下方向に分離可能にされており、フラップ板８には、分離したフラップ板の先端寄りの左右両側部分８Ａを折り曲げる際の目印となる線２３が印されている。【選択図】図１
2019202812.tif 000002
【特許請求の範囲】
【請求項１】
奥行方向が短い底板、左右側板及び蓋板並びに前板、後板及び前記蓋板の前縁から前記前板の前方に垂下るフラップ板を含み、一枚のブランクシートが折り曲げられて組み立てられた奥行の少ない紙製の薄型商品陳列箱であって、
前記蓋板は、その後縁を組み立て状態と逆方向に折り曲げ可能であり、
前記蓋板の前縁と前記フラップ板との連結部も、組み立て状態と逆方向に折り曲げ可能であり、
前記フラップ板には、左右両辺の任意の位置を起点として、それぞれ、前記フラップ板の中央に向かって伸びる所定長さのミシン目が入れられていて、前記フラップ板の左右両側部分は、前記ミシン目によって切り離すことにより上下方向に分離可能にされており、
前記フラップ板には、分離した前記フラップ板の先端寄りの左右両側部分を折り曲げる際の目印となる線が印されていることを特徴とする商品陳列箱。
【請求項２】
前記後板には、左右に、前記フラップ板の前記左右両側部分を折り曲げた際に、折り曲げた前記左右両側部分の上端角部を差し込むことのできる切れ目が形成されていることを特徴とする、請求項１に記載の商品陳列箱。
【請求項３】
前記前板の下縁には、下縁から下方へ突出する左右一対の足片が設けられていることを特徴とする、請求項１または２に記載の商品陳列箱。
【発明の詳細な説明】
【技術分野】
【０００１】
本発明は、商品陳列箱に関し、特に、自立できるようにスタンド機能が付与された商品陳列箱に関する。
【背景技術】
【０００２】
この種の商品陳列箱としては、特許文献１に開示された「卓上スタンド機能を具えた収納体」や、特許文献２に開示された「パンフレット類用収容ケース」が公知である。
特許文献１に開示された卓上スタンド機能を具えた収納体は、開封して被収納体を取り出した後に、パッケージを被収納体のスタンドとして再利用するものである。このため、収納体を卓上スタンドに変形するために、パッケージの組立て作業を行わなければならない。
【０００３】
特許文献２に開示されたパンフレット類用収容ケースは、自立スタンドケースとして利用するために、収容ケース自体としては利用しない折曲片等が必要であり、ブランクシートの型が複雑になると共に、自立スタンドケースにするためにケースの組立て作業を行わなければならない。
【先行技術文献】
【特許文献】
【０００４】
【特許文献１】特開２００４−１８９３３０号公報
【特許文献２】実用新案登録第３１３０８８１号公報
【発明の概要】
【発明が解決しようとする課題】
【０００５】
従来のスタンド機能を有する収納体や収容ケースは、スタンド機能を発現させるために、部品の組み換え作業等を行わなければならず、手間がかかる等の課題がある。
本発明は、かかる背景の基になされたものであり、自立性の乏しい奥行の少ない薄型の陳列箱を、店頭で倒れないようにするために、容易にスタンド機能を付与して自立性を担保できるように改良された商品陳列箱を提供することを目的とする。
【課題を解決するための手段】
【０００６】
本発明は、上記目的を達成するために、請求項１記載の発明は、奥行方向が短い底板、左右側板及び蓋板並びに前板、後板及び前記蓋板の前縁から前記前板の前方に垂下るフラップ板を含み、一枚のブランクシートが折り曲げられて組み立てられた奥行の少ない紙製の薄型商品陳列箱であって、前記蓋板は、その後縁を組み立て状態と逆方向に折り曲げ可能であり、前記蓋板の前縁と前記フラップ板との連結部も、組み立て状態と逆方向に折り曲げ可能であり、前記フラップ板には、左右両辺の任意の位置を起点として、それぞれ、前記フラップ板の中央に向かって伸びる所定長さのミシン目が入れられていて、前記フラップ板の左右両側部分は、前記ミシン目によって切り離すことにより上下方向に分離可能にされており、前記フラップ板には、分離した前記フラップ板の先端寄りの左右両側部分を折り曲げる際の目印となる線が印されていることを特徴とする商品陳列箱である。
【０００７】
請求項２記載の発明は、前記後板には、左右に、前記フラップ板の前記左右両側部分を折り曲げた際に、折り曲げた前記左右両側部分の上端角部を差し込むことのできる切れ目が形成されていることを特徴とする、請求項１に記載の商品陳列箱である。
請求項３記載の発明は、前記前板の下縁には、下縁から下方へ突出する左右一対の足片が設けられていることを特徴とする、請求項１または２に記載の商品陳列箱である。
【発明の効果】
【０００８】
本発明は、商品陳列箱の蓋板及びフラップ板を商品陳列箱の背面側へ折り返し、当該折り返した蓋板及びフラップ板を陳列箱を自立させるためのスタンド（支え部品）とする。このため、陳列箱の既存部品を用いて極めて容易にスタンド機能を付与することができる。
また、フラップ板は、背面側へ折り返した後に、一部を目印となる線（例えば罫線）に沿って折ることで、更には、折り返した部分の上端縁の一部を後板に設けられた切れ目に差し込むことで、陳列箱自立時の安定性を向上させることができる。
【図面の簡単な説明】
【０００９】
【図１】本発明の一実施形態の商品陳列箱の展開図（商品陳列箱用ブランクシートの形態を示す平面図）である。
【図２】本発明の一実施形態の商品陳列箱の斜視図であり、封緘状態の斜視図である。
【図３】本発明の一実施形態の商品陳列箱の斜視図であり、開封状態の斜視図である。
【図４】本発明の一実施形態の商品陳列箱を開封し、フラップ板の一部をミシン目に沿って切り離し、罫線に沿って折り目をつけた状態の斜視図である。
【図５】本発明の一実施形態の商品陳列箱において、切り離したフラップ板の上端部分を後板の切れ目に差し込んだ状態を背面側から描いた斜視図である。
【図６】本発明の一実施形態の商品陳列箱にスタンド機能を付与した状態を側面から見た斜視図である。
【図７】本発明の一実施形態のスタンド機能が付与された商品陳列箱に、商品が沢山入った状態の斜視図である。
【図８】本発明の一実施形態のスタンド機能が付与された商品陳列箱において、商品が残り少なくなった状態の斜視図である。
【図９】本発明の変形例を説明するための商品陳列箱の展開図（商品陳列箱用ブランクシートの形態を示す平面図）である。
【発明を実施するための形態】
【００１０】
以下には図面を参照して、本発明の実施形態について具体的に説明をする。
図１は、本発明の一実施形態の商品陳列箱の展開図（商品陳列箱用ブランクシートの形態を示す平面図）である。図２は、本発明の一実施形態の商品陳列箱の斜視図であり、封緘状態の斜視図である。図３は、本発明の一実施形態の商品陳列箱の斜視図であり、開封状態の斜視図である。
【００１１】
図１〜３を参照して、本発明の一実施形態に係る商品陳列箱１０は、所定形状にブランク取りされた一枚のブランクシート１（図１を参照）が折り曲げられて組み立てられる。
ブランクシート１は、紙製で、一例として、コートボール紙３１０ｇ／ｍ２により作ることができる。ブランクシート１には、前板２、底板３、右側板４、左側板５、後板６、蓋板７及びフラップ板８が含まれている。前板２は、一例として、幅１７６ｍｍ、高さ１０３ｍｍの長方形状をし、上辺側から大きく矩形に切除された開口２１を有している。前板２の下辺側には底板３が連設されており、さらに底板３の下方には、差込片１１が設けられている。底板３は、一例として、幅１７６ｍｍ、奥行２０ｍｍで、奥行方向が短くされている。前板２の下辺沿いには、下方へ突出する左右一対の足片９が切り込みによって形成されている。前板２、底板３及び差込片１１の境界には、間欠的に折り曲げ用の切り込みが入れられていてもよい。
【００１２】
前板２の右辺側には、右側板４が連設されている。右側板４は、一例として、奥行１９ｍｍである。前板２及び右側板４の境界には、間欠的に折り曲げ用の切り込みが入れられていてもよい。右側板４の上部及び下部には、それぞれ、フラップ片１２，１３が連設されている。上部のフラップ片１２は、後に切り離せるように、ミシン目１２ａを介して右側板４の上部と繋がっている。
【００１３】
前板２の左辺側には、左側板５が連設されている。左側板５は、一例として、奥行２０ｍｍである。前板２及び左側板５の境界には、間欠的に折り曲げ用の切り込みが入れられていてもよい。左側板５の上部及び下部には、それぞれ、フラップ片１４，１５が連設されている。上部のフラップ片１４は、後に切り離せるように、ミシン目１４ａを介して左側板５の上部と繋がっている。
【００１４】
左側板５の左辺側には、後板６が連設されている。後板６は、一例として、幅１７６ｍｍ、高さ１０３ｍｍの長方形状であり、その上方左右部分には、後述する差し込み用の切れ目２２が、左右対称に形成されている。
後板６の上辺側には蓋板７が連設され、さらに蓋板７の上方にはフラップ板８が連設されている。蓋板７及びフラップ板８は、その幅が、一例として、１７６ｍｍと前板２及び後板６と等しくされている。一方、蓋板７の奥行は、一例として、２０ｍｍと短くされ、フラップ板８の高さ（垂下長さ）は、一例として、１００ｍｍとされている。
【００１５】
蓋板７とフラップ板８との連結部には、左右両側から、それぞれ、所定長さのミシン目８ａが入れられており、フラップ板８の左右両側部分は、ミシン目８ａに沿って蓋板７から切り離せるようになっている。
フラップ板８には、ミシン目８ａの各奥側から、フラップ板８の高さ方向に延びる罫線２３が描かれている。罫線２３は、フラップ板８の左右両側部を折り曲げる際の目印となる線である。
【００１６】
さらに、後板６の左側辺には、糊代片１６が連設されている。なお、左側板５及び後板６の境界、後板６、蓋板７及びフラップ板８の境界、並びに後板６及び糊代片１６の境界には、間欠的に折り曲げ用の切り込みが入れられていてもよい。
図２は、図１に示すブランクシート１が折り曲げられて組み立てられ、内に商品（商品としては、一例として、ポストカード状に形成されて個包装された薄いカードガムを例示することができる。しかし、この商品陳列箱１０に収容する商品としては、係る商品に限定されるものではない。）が収容されて封緘された状態の商品陳列箱１０の斜視図である。また、図３は、図２に示す商品陳列箱１０を開封した状態の斜視図である。
【００１７】
図２及び図３に示すように、商品陳列箱１０は、奥行の少ない薄型の陳列箱であるから、自立安定性が乏しく、店頭で立てた状態で配置すると、容易に倒れる可能性が高い。
そこで、本発明の一実施形態の商品陳列箱１０は、開封状態において、蓋板７及びフラップ板８を用いてスタンド機能を付与するようにしたことが、特徴の１つである。
スタンド機能の付与手順は、次の通りである。
【００１８】
図４に示すように、開封した商品陳列箱１０の蓋板７及びフラップ板８を、それぞれ、組み立て状態と逆方向に折り曲げる。そして、フラップ板８の左右両側部分８Ａをミシン目８ａに沿って蓋板７から切り離し、切り離したフラップ板８の左右両側部分８Ａを罫線２３に沿って折り目をつける。
そして、図５に示すように、蓋板７から切り離され、折り曲げられたフラップ板８の左右両側部分８Ａの上端角部を、後板６に形成された切れ目２２に差し込む。
【００１９】
これによって、奥行の少ない薄型の商品陳列箱１０は、その背面側にフラップ板８を利用したスタンド（支え部品）が設けられる。よって、図６に示すように、商品陳列箱１０は、側面視において、背面側のスタンド（フラップ板８，８Ａ）により後方へ倒れないように支持されている。故に、商品陳列箱１０は、自立時の安定性が向上する。
図７は、商品陳列箱１０に、商品（薄く着色して示したもの）が沢山入った状態の斜視図であり、図８は、商品（薄く着色して示したもの）が残り少なくなった状態の斜視図である。
【００２０】
商品陳列箱１０は、奥行の少ない薄型の形状であるが、その背面側がフラップ板８，８Ａを利用したスタンドで支持されているので、自立安定性が向上している。また、商品が減って、箱の後ろ側に商品が残って重心が後ろに移動しても、陳列箱１０は安定して自立している。
さらに、商品陳列箱１０は、その前板２の下縁に、下縁から下方へ突出する左右一対の足片９が設けられている。足片９は、商品陳列箱１０の前板２の下部をやや持ち上げた状態で自立させる。このため、商品陳列箱１０はやや後ろ側に傾いた状態となるが、図６に破線で示すように、足片９及びスタンド（フラップ板８，８Ａ）が側面視で三角形に支え合うから、より安定した自立を実現している。
【００２１】
この発明は、以上説明した実施形態に限定されるものではなく、請求項記載の範囲内において、種々の変更が可能である。
変形例について、より具体的に、図９に示す商品陳列箱の展開図（商品陳列箱用ブランクシートの形態を示す平面図）を参照して説明をする。
上述の実施形態では、フラップ板８の左右両側部分を切り離すためのミシン目は、フラップ板８左右両辺の基端位置（上端位置）を起点として、それぞれ、前記フラップ板８の中央に向かって水平に伸びる所定長さのミシン目８ａが入れられているものを説明した。換言すれば、蓋板７の前縁とフラップ板８との連結部にミシン目８ａを設けたものを説明した（図１の説明を参照）。
【００２２】
しかし、ミシン目８ａは、上述のものに限らず、図９に示すように、フラップ板８の左右両辺８Ｒ，８Ｌの任意の位置を起点として、それぞれ、前記フラップ板８の中央に向かって伸びる所定長さのミシン目８１ａ，８２ａ，８３ａのいずれの形態であってもよい。また、ミシン目は、水平方向に延びるミシン目８２ａのような形状に限らず、水平方向に対して斜め方向に延びるミシン目８３ａのような形状であってもよいし、ミシン目８１ａのような曲線形状であってもよい。
【００２３】
そして、ミシン目を設ける位置の変化に対応付けて、折り曲げたフラップ板８の左右両側部分を差し込むために、後板６の左右に形成する切れ目２２の高さ位置及び形状を適宜変更するのが望ましい。
また、前板２の下縁に設けられる足片９は、左右一対に限られず、３つ以上設けられていてもよい。あるいは、左右方向中央部に、幅広に単独の足片が設けられた構成としてもよい。
【００２４】
なお、足片９を一切設けなくとも、安定した自立を実現することは可能であるが、足片９を設けることで、より一層安定した自立を実現することが可能である。
さらに、例えば、ブランクシートに含まれる各構成板の境界に間欠的に入れられた折り曲げ用の切り込みをなくし、折り曲げ用の筋がつけられていてもよい。
【符号の説明】
【００２５】
１    ブランクシート
２    前板
３    底板
４    右側板
５    左側板
６    後板
７    蓋板
８    フラップ板
８Ａ    フラップ板の左右両側部分
８Ｌ、８Ｒ    フラップ板の左右両辺
８ａ、１２ａ、１４ａ、８１ａ、８２ａ、８３ａ    ミシン目
９    足片
１０    商品陳列箱
１１    差込片
１２、１３、１４、１５    フラップ片
１６    糊代片
２１    開口
２２    切れ目
２３    罫線
【図１】
2019202812.tif 000003
【図２】
2019202812.tif 000004
【図３】
2019202812.tif 000005
【図４】
2019202812.tif 000006
【図５】
2019202812.tif 000007
【図６】
2019202812.tif 000008
【図７】
2019202812.tif 000009
【図８】
2019202812.tif 000010
【図９】
2019202812.tif 000011